(57)【要約】      （修正有）【課題】陳列棚の組み付け時にハンガー装置を並行して組み付け可能にすることで、設置や収納の場所をとらず、衣料品等を展示する場合に床面の利用効率を高める。【解決手段】各支柱２に支持される棚板支持板３の互いに対向する面にパイプ端支持部材１１が設けられ、これらの各パイプ端支持部材１１に、ハンガー吊りパイプ４の各端部が着脱可能に嵌合されている。【選択図】図２
0003110668.tif 000002
【実用新案登録請求の範囲】
【請求項１】
上下方向に所定間隔をおいて複数の係止孔が設けられた少なくとも２本の支柱と、前記係止孔に着脱可能に係合されるフックを基端部に有し、その係合状態において前記支柱に略水平支持される棚板支持板と、を備える陳列棚装置であって、
前記各支柱に支持された棚板支持板の互いに対向する面に板状のパイプ端支持部材が設けられ、これらの各パイプ端支持部材にハンガー吊りパイプの各端部が着脱可能に嵌合されていることを特徴とする陳列棚装置。
【請求項２】
前記パイプ端支持部材は、前記棚板支持板の棚板支持面から所定距離離れた下方位置に設けられていることを特徴とする請求項１に記載の陳列棚装置。
【請求項３】
前記パイプ端支持部材は、前記棚板支持板に連続し、該棚板支持板側とは反対方向に下方に向かって傾斜する傾斜上縁部と、前記棚板支持板に連続し、該棚板支持板側とは反対方向に下方に向かって傾斜する傾斜下縁部と、該傾斜下縁部に連続する水平下縁部と、前記傾斜上縁部と水平下縁部との間に連設され、前記ハンガー吊りパイプ端部の下部に穿設された係止孔に係止可能な係止突起と、前記ハンガー吊りパイプの内面に接触可能に突設された補強板と、有することを特徴とする請求項１に記載の陳列棚装置。
【請求項４】
前記棚板支持板の上縁には、この上縁に装着されて棚板の移動を規制する棚板移動規制部材が着脱自在に取り付けられていることを特徴とする請求項１に記載の陳列棚装置。
【請求項５】
前記棚板移動規制部材は、前記棚板支持板の上縁に形成された切欠に該棚板支持板を挟むように嵌合される一対の嵌合片と、これらの嵌合片の上部に突設されて、前記棚板支持板に載置される棚板に形成された係止孔に挿入可能な棚板移動規制突起と、を有することを特徴とする請求項４に記載の陳列棚装置。
【考案の詳細な説明】
【技術分野】
【０００１】
本考案は、支柱に支持された棚板支持板にハンガー吊りパイプを組み付けた陳列棚装置に関する。
【背景技術】
【０００２】
従来の陳列棚装置として、２本の支柱に複数の係止孔を列設し、棚板支持板端に突設したフックをその係止孔に嵌合させるものが知られている（例えば、特許文献１参照）。この陳列棚装置では、２本の支柱に棚板支持板を前記のように取り付け、これらの棚板支持板上に棚板を架設（載置）することにより、その棚板に、例えば置き売り用の商品を陳列することができる。
【０００３】
一方、ハンガー装置として、２本の支柱間にハンガー吊りパイプを架設したものが広く提供されている。このハンガー装置では、吊り売り用の商品を掛けたハンガーのフックをパイプに吊り下げることによって、その商品を陳列、販売することができる。
また、このような陳列棚装置およびハンガー装置は、衣料等の販売現場で多数、多種類の商品を同時に販売する場合に、それぞれが床上に多数並置されて、利用される。
【特許文献１】特開平０８−１４０７９６号公報
【考案の開示】
【考案が解決しようとする課題】
【０００４】
しかしながら、このような陳列棚装置およびハンガー装置にあっては、前記のような置き売り用の商品および吊り売り用の商品を販売や展示するのに、専用の陳列棚装置およびハンガー装置を個別に用意する必要があるため、不経済になる。また、これらの陳列棚装置およびハンガー装置を別々に組み付けるのに手間が掛かり、設置および撤去の作業が面倒になるほか、設置する床面の利用効率が悪くなるという問題がある。
【０００５】
本考案は前記のような従来の問題を解決するものであり、陳列棚の組み付け作業に並行してハンガー装置の組み付けを可能にし、これらの組み付け能率の改善とコストダウンが図れるほか、設置や収納の場所をとらず、陳列時における床面の利用効率を高めることができる陳列棚装置を提供することを目的とする。
【課題を解決するための手段】
【０００６】
前記目的達成のために、本考案にかかる陳列棚装置は、上下方向に所定間隔をおいて複数の係止孔が設けられた少なくとも２本の支柱と、前記係止孔に着脱可能に係合されるフックを基端部に有し、その係合状態において前記支柱に略水平支持される棚板支持板とを備える陳列棚装置であって、前記各支柱に支持された棚板支持板の互いに対向する面にパイプ端支持部材が設けられ、これらの各パイプ端支持部材にハンガー吊りパイプの各端部が着脱可能に嵌合されていることを特徴とする。
【０００７】
これにより、ハンガー吊りパイプは棚板支持板に組み付けられることになるため、例えば置き売り用および吊り売り用の各商品等の展示のために、別々の展示手段を用意する必要がなくなる。従って、展示手段を別々に用意することによる組み付けや設置、撤去のための手間、およびコスト上の負担を軽減でき、また床面の利用効率を高めることができる。
【０００８】
また、本考案にかかる陳列棚装置は、前記パイプ端支持部材が、前記棚板支持板の棚板支持面から所定距離離れた下方位置に設けられていることを特徴とする。
【０００９】
これにより、棚板支持板に載置される棚板から離れた位置に支持されたハンガー吊りパイプに対しハンガーの着脱が容易になり、ハンガーに吊られた衣料の全体が棚板により隠されることなく、歩行者等の視界内に十分に収めることができる。
【００１０】
また、本考案にかかる陳列棚装置は、前記パイプ端支持部材が、前記棚板支持板に連続し、該棚板支持板側とは反対方向に下方に向かって傾斜する傾斜上縁部と、前記棚板支持板に連続し、該棚板支持板側とは反対方向に下方に向かって傾斜する傾斜下縁部と、該傾斜下縁部に連続する水平下縁部と、前記傾斜上縁部と水平下縁部との間に連設され、前記ハンガー吊りパイプ端部の下部に穿設された係止孔に係止可能な係止突起と、前記ハンガー吊りパイプの内面に接触可能に突設された補強板と、を有することを特徴とする。
【００１１】
これにより、棚板支持部材を支柱に取り付ける前に、この棚板支持部材上のパイプ端支持部材に対し、ハンガー吊りパイプの端部を斜め方向に挿入しながら、水平に持ち上げることで、このハンガー吊りパイプの端部の一部を、補強板を介して棚板支持板に安定支持できる。また、パイプ端支持部材の係止突起にハンガー吊りパイプの係止孔を嵌合することにより、ハンガー吊りパイプの抜け止めをすることができる。
【００１２】
また、本考案にかかる陳列棚装置は、前記棚板支持板の上縁に、この上縁に装着されて棚板の移動を規制する棚板移動規制部材が着脱自在に取り付けられていることを特徴とする。
【００１３】
これにより、棚板支持板上にガラス板等の棚板を安定かつ安全に支持させることができ、棚板を使用しない場合には、棚板支持板を商品やハンガーの吊り部材としての利用することもできる。
【００１４】
また、本考案にかかる陳列棚装置は、前記棚板移動規制部材が、前記棚板支持板の上縁に形成された切欠に該棚板支持板を挟むように嵌合される一対の嵌合片と、これらの嵌合片の上部に突設されて、前記棚板支持板に載置される棚板に形成された係止孔に挿入可能な棚板移動規制突起と、を有することを特徴とする。
【００１５】
これにより、棚板移動規制部材の棚板支持板への装着および棚板の棚板移動規制部材への装着を、簡単、迅速かつ安定的に行うことができる。
【考案の効果】
【００１６】
本考案は、少なくとも２本の支柱に支持された棚板支持板の互いに対向する面にパイプ端支持部材を設け、これらの各パイプ端支持部材にハンガー吊りパイプの各端部を着脱可能に嵌合する構成とすることにより、ハンガー吊りパイプを、棚板支持板の支柱に対する組み付け時に略同時に組み付けることができ、また置き売り用の商品および吊り売り用の商品の各展示のために、別々の展示手段を用意して組み立てる必要がなくなる。従って、陳列棚装置の組み付けや設置、撤去のための作業上およびコスト上の負担を軽減でき、さらに陳列棚設置のための床面の利用効率を高めることができる。
【考案を実施するための最良の形態】
【００１７】
以下に、本考案の実施形態を、図面を参照して詳細に説明する。
図１は本考案の陳列棚装置１を概略的に示す斜視図である。同図に示すように、
本考案の陳列棚装置１は、２本の支柱２、２と、棚板支持板３、３と、ハンガー吊りパイプ４とを備えている。これらのうち、支柱２、２は、例えばコ字状の断面を持つ鉄や合成樹脂などの硬質フレームからなり、例えば床から天井付近までの長さとされている。
【００１８】
また、これらの支柱２、２の一側部には複数の係止孔２ａが、その支柱２、２の長手方向に一定間隔をおいて穿設されている。これらの支柱２、２の各係止孔２ａ、２ａは互いに略同一高さ位置に設けられている。また、これらの各係止孔２ａ、２ａは、後述のフックの挿入が容易な形状、例えば細長い矩形状をなす。
【００１９】
前記棚板支持板３、３は、図２に示すように、全体として垂直部５および水平部６を一体に有するＬ字状の金属板や合成樹脂板からなる。各棚板支持板３、３の基端である垂直部５の側縁には、複数のフック７が所定間隔をおいて一体に突設されている。なお、このフック７は前記支柱２の係止孔２ａに挿入され、かつその係止孔２ａの下縁に係止が可能な所定形状をなす。
【００２０】
棚板支持板３は、先端部に向かって縦幅が短くなるような形状をなし、その先端部上縁に、棚板の落下を阻止するための突起部８が連設されている。
また、前記水平部６上縁の２箇所には、後述の棚板移動規制部材が装着可能な所定深さの矩形の切欠９が形成されている。
【００２１】
棚板支持板３の先端部付近には、下方に垂下するように所定長さおよび幅の突片１０が一体に連設されている。この突片１０の下部には、図３、図４および図５に示すような板状のパイプ端支持部材１１が一体に突設されている。なお、このパイプ端支持部材１１は、一対の柱２、２に取り付けられる棚板支持板３の互いに対向する面側に、一体成形または溶接などにより設けられる。
【００２２】
パイプ端支持部材１１は、図４の下面図および図５の断面図に示すように、棚板支持板３側とは反対方向に下方に向かって傾斜する傾斜上縁部１２と、この傾斜上縁部１２から前記棚板支持板３側に連続するように一体に水平配置された補強板１３と、前記棚板支持板３側に連続し、棚板支持板３側とは反対方向に下方に向かって傾斜する傾斜下縁部１４と、該傾斜下縁部１４に連続する水平下縁部１５と、前記傾斜上縁部１２と水平下縁部１５との間に連設され、後述のハンガー吊りパイプ端部の下部に突設された係止孔に係止可能な係止突起１６と、を有する。なお、断面図では、突片１０およびハンガー吊りパイプ４のみを切断して示してある。
【００２３】
補強板１３は、棚板支持板３に対して基部が溶接などにより一体に固定されている。また、パイプ端支持部材１１は、これに挿入されたハンガー吊りパイプ４の端部を着脱可能に支持するように機能する。
【００２４】
ハンガー吊りパイプ４は、全体として環状断面を持ち、前記支柱２、２に前記のように支持される棚板支持板３、３間の距離に略等しい長さの金属管または合成樹脂管である。この金属管や合成樹脂管の内径は、前記パイプ端支持部材１１が略密に嵌合可能な断面寸法とされている。ハンガー吊りパイプ４の両端部の下部には、パイプ端支持部材１１の係止突起１６に係止可能な係止孔１７が形成されている。
【００２５】
図６、図７および図８は、本考案における棚板移動規制部材１８の側面図、正面図および平面図である。この棚板移動規制部材１８は金属や合成樹脂の成形品などからなり、一対の挟持片１９、１９とダボ２０を一体に備える。このうち、挟持片１９、１９間の間隔幅ａは前記棚板支持板３の厚みに略等しく、幅ｂは前記切欠９の幅に等しい。また、ダボ２０は、図１に二点鎖線で示す木製の棚板２１下面に設けられた棚板移動規制穴（図示省略）に嵌合する形状、サイズをなしている。なお、この棚板２１には、前記突起部８が嵌合する棚板移動規制穴（図示省略）も設けられている。
【００２６】
この棚板移動規制部材１８は、前記挟持片１９、１９が棚板支持板３を挟むように前記切欠９に嵌合することにより、ダボ２０の位置が、棚板支持板３の上縁に突出するように安定保持される。
【００２７】
次に、前記構成になる陳列棚装置の組み付け手順を説明する。
まず、２本の支柱２を、所定間隔をおいて床および天井間に垂直に設立する。この支柱２１が倒れないように、壁面に対し図示しない螺子などの止め具を用いて固定してもよい。次に、棚板支持板３を用意する。この棚板支持板３としては、パイプ端支持部材１１を片面（右側面）に有するものと、他面（左側面）に有するものとを、別々に用意する、また、ハンガー吊りパイプ４も併せて用意する。
【００２８】
そして、ハンガー吊りパイプ４の一端を、図５に示すように、斜め下方から斜め上方に向かって、棚板支持板３の左側面のパイプ端支持部材１１に挿入する。この挿入時に、ハンガー吊りパイプ４を徐々に水平になるように持ち上げる。
これにより、ハンガー吊りパイプ４端の内周面が補強版１３により支持され、かつ係止孔１７に係止突起１６が嵌合する。このため、水平状態のハンガー吊りパイプ４は、パイプ端支持部材１１からの脱抜が規制される。
【００２９】
また、パイプ端支持部材１１の水平下縁部１５が、ハンガー吊りパイプ４先端の下部内周面に密接し、このハンガー吊りパイプ４の上方向への移動を規制する。この状態では、ハンガー吊りパイプ４の右端部が棚板支持板３に対し安定支持される。
前記と同様の方法でハンガー吊りパイプ４の他端（図示しない）を、もう一方の棚板支持板３の右側面のパイプ端支持部材１１に嵌合する。このようにして、ハンガー吊りパイプ４の両端がそれぞれ棚板支持板３に取り付けられる。
【００３０】
次に、これらの棚板支持板３のフック７を、二本の支柱２、２の係止孔２ａ、２ａに挿し込み、さらに軽く下方へ押圧する。これにより、フック７の爪が係止孔２ａ、２ａの下縁に係合し、各棚板支持板３が支柱２に対し抜け落ちることなく、略水平に支持される。
このようにして、これらの一対の棚板支持板３、３間に一本のハンガー吊りパイプ４が堅固に支持される形態となる。従って、このハンガー吊りパイプ４には、これの長手方向に複数のハンガーがフック部で吊持可能になる。
【００３１】
次に、図６乃至図８に示すような棚板移動規制部材１８を用意し、これの挟持片１９で棚板支持板を挟むようにし、前後二つの切欠９内にこれらの挟持片１９をそれぞれ嵌め込む。これにより、ダボ２０のみが、棚板支持板３の上縁ラインより上方に突出することになる。
そこで、木製の棚板２１下面に形成された前記棚板移動規制孔に、前記ダボ２０を嵌め込む。これにより、棚板２１は棚板支持板３の上縁において移動することがなくなり、不用意に棚板支持板３から落下するのを防止することができる。
【００３２】
また、棚板として、透明のガラス板の棚板２２を用いてもよい。このガラス板の棚板２２を用いる場合には、前記棚板規制部材１８を予め切欠９から取り外しおく。そして、棚板支持板３の突起部８と支柱２との間に棚板２２を介在させるように載せる。これにより、このガラス板の棚板２２が前方へ移動することがなく、従って下方へ落下することもない。
【００３３】
図９、図１０および図１１は、それぞれパイプ端支持部材の他の実施形態を示す側面図、断面図および下面図である。断面図では、突片１０およびハンガー吊りパイプ４Ａのみを切断して示してある。
同図において、パイプ端支持部材１１Ａは、棚板支持板３の突片１０の下部に一体成型または溶接などにより突設されている。また、このパイプ端支持部材１１Ａは、棚板支持板３に連続し、この棚板支持板３側とは反対方向に下方に向かって傾斜する傾斜上縁部１２と、前記棚板支持板３側に連続し、棚板支持板３側とは反対方向に下方に向かって傾斜する傾斜下縁部１４と、該傾斜下縁部１４に連続する水平下縁部１５と、前記傾斜上縁部１２と水平下縁部１５との間に連設され、後述のハンガー吊りパイプ端部の下部に穿設された係止孔に係止可能な係止突起１６と、パイプ端支持部材１１Ａの両面に連接された略半円形の補強板１３Ａと、を有する。
【００３４】
ここで、補強板１３Ａの円弧状縁部１３ｐは、ハンガー吊りパイプ４の内周面に略接触可能な円弧サイズに加工されている。また、この補強板１３Ａは、図１０に示すように、前後方向に"く"Sの字状に屈曲され、ハンガー吊りパイプ４から受ける面圧に対し、所定の強度が得られるようになっている。
【００３５】
従って、図９乃至図１１のパイプ端支持部材１１Ａによれば、ハンガー吊りパイプ４のパイプ端支持部材１１Ａに対する、前記同様の手順による挿入、装着が容易になるとともに、ハンガー吊りパイプ４の内周面を、補強板１３Ａが円弧状縁部１３ｐで支承するため、ハンガー吊りパイプ４の支持強度が一段と高められ、支持状態も安定する。このため、ハンガー吊りパイプ４がパイプ端支持部材１１Ａから外れ、不用意に落下する惧れがない。
【００３６】
図１２および図１３は、それぞれパイプ端支持部材のさらに他の実施形態を示す側面図および断面図である。この形態では、矩形断面のハンガー吊りパイプ４Ａを、図９乃至図１１に示したものと略同様のパイプ端支持部材１１Ｂにより、支持するものを示す。
【００３７】
この形態では、パイプ端支持部材１１Ｂに一体の補強板１３Ｂが、ハンガー吊りパイプ４Ａの平らな内面に沿う矩形体をなす。従って、その補強板１３Ｂ両側の直線縁部１３ｑが、その内周面に略接触可能な形状およびサイズに形成されている。
この場合にも、ハンガー吊りパイプ４Ａのパイプ端支持部材１１Ｂに対する、前記同様の手順による挿入、装着が容易になる。また、ハンガー吊りパイプ４Ａの内側面を補強板１３Ｂが直線縁部１３ｑで支承するため、ハンガー吊りパイプ４Ａの支持強度が一段と高められ、支持状態が安定する。
【００３８】
前記のように、本実施の形態によれば、上下方向に所定間隔をおいて複数の係止孔２ａが設けられた少なくとも２本の支柱２と、前記係止孔２ａに着脱可能に係合されるフック７を基端部に有し、その係合状態において前記支柱２に略水平支持される棚板支持板３とを備え、前記各支柱２に支持される棚板支持板３の互いに対向する面にパイプ端支持部材１１を設け、これらの各パイプ端支持部材１１にハンガー吊りパイプ４の各端部を着脱可能に嵌合させる構成を持つため、陳列棚装置の組み付け時にハンガー装置が並行して組み付け可能となる。また、設置および運搬が容易になるとともに、例えば衣料品等を展示する場合等において床面の利用効率を高めることができる。
【産業上の利用可能性】
【００３９】
本考案の陳列棚装置は、陳列棚の組み付け時にハンガー装置が並行して組み付け可能になるほか、設置や収納の場所をとらず、衣料品等の商品を展示する場合に、床面の利用効率を高めることができるという効果を有し、支柱に装着された棚板支持板にハンガー吊りパイプを着脱自在に組み付ける陳列棚装置等に有用である。
【図面の簡単な説明】
【００４０】
【図１】本考案の実施形態による陳列棚装置の概略を示す斜視図である。
【図２】図１における棚板支持部材を示す側面図である。
【図３】図１における棚板支持部材を示す平面図である。
【図４】図１における棚板支持部材の要部を示す下面図である。
【図５】図１におけるハンガー吊りパイプの取り付け構造を示す要部の断面図である。
【図６】本考案における棚板移動規制部材を示す側面図である。
【図７】図６における棚板移動規制部材の正面図である。
【図８】図６における棚板移動規制部材の平面図である。
【図９】本考案における棚板支持部材の他の形態を示す側面図である。
【図１０】図９における棚板支持部材に対するハンガー吊りパイプの装着構造を示す要部の断面図である。
【図１１】図９に示す棚板支持部材の下面図である。
【図１２】本考案における棚板支持部材の他の形態を示す側面図である。
【図１３】図１２における棚板支持部材に対するハンガー吊りパイプの装着構造を示す要部の断面図である。
【符号の説明】
【００４１】
１…陳列棚装置、２…支柱、２ａ…係止孔、３…棚板支持板、４、４Ａ…ハンガー吊りパイプ、７…フック、８…突起、９…切欠、１１，１１Ａ…パイプ端支持部材、１２…傾斜上縁部、１３，１３Ａ，１３Ｂ…補強板、１４…傾斜下縁部、１５…水平下縁部、１６…係止突起、１７…係止孔、１８…棚板移動規制部材、１９…嵌合片、２０…棚板移動規制突起、２１，２２…棚板
【図１】
0003110668.tif 000003
【図２】
0003110668.tif 000004
【図３】
0003110668.tif 000005
【図４】
0003110668.tif 000006
【図５】
0003110668.tif 000007
【図６】
0003110668.tif 000008
【図７】
0003110668.tif 000009
【図８】
0003110668.tif 000010
【図９】
0003110668.tif 000011
【図１０】
0003110668.tif 000012
【図１１】
0003110668.tif 000013
【図１２】
0003110668.tif 000014
【図１３】
0003110668.tif 000015